(57)【要約】【課題】  光軸方向に対する撮像素子の傾きを簡素な構成で精度良く調整できる撮像装置を提供することを目的とする。【課題手段】  撮像素子８を支持する支持部材１０と、光軸の周囲に沿って離散的に配置されて、光軸方向に沿って支持部材１０に弾接する複数の付勢部材２０ａ、２０ｂ、２０ｃと、複数の付勢部材２０ａ、２０ｂ、２０ｃと一対に備えられ、軸部が支持部材１０及び付勢部材２０ａ、２０ｂ、２０ｃを貫通し、軸部の一端が支持部材１０に係合すると共に、軸部の他端がケーシング１ｃに固定された固定部材１２に螺合し、螺合に伴って、光軸方向にスライドして支持部材１２を傾動させる回転部材１３ａ，１３ｂ，１３ｃと、によって構成されている。【選択図】図１
2009180942.tif 000002
【特許請求の範囲】
【請求項１】
ケーシング内に収納され、光学像を撮像素子に導く撮像レンズと、前記光学像を光電変換して画像信号を出力する前記撮像素子と、を備えた撮像装置において、
前記撮像レンズを介して入射する入射光の光軸に対して前記撮像素子の傾きを調整するあおり調整機構を備え、
前記あおり調整機構が、
前記撮像素子を支持する支持部材と、
前記光軸の周囲に沿って離散的に配置されて、前記光軸方向に沿って前記支持部材に弾接する複数の付勢部材と、
前記複数の付勢部材と一対に備えられ、軸部が前記支持部材及び前記付勢部材を貫通し、該軸部の一端が前記支持部材に係合すると共に、該軸部の他端が前記ケーシングに螺合し、螺合に伴って、前記光軸方向にスライドして前記支持部材を傾動させる回転部材と、
によって構成されている、
ことを特徴とする撮像装置。
【請求項２】
前記支持部材に対向する向きに配設されて前記ケーシングに固定された固定部材を備え、
前記光軸方向に沿って、前記支持部材が前記固定部材を介して前記撮像レンズの反対側に配置されると共に、前記付勢部材が前記固定部材と前記支持部材との間に配置され、
前記固定部材には、前記回転部材の軸部が螺合する螺合孔が設けられ、
前記回転部材が前記固定部材を介して前記ケーシングに螺合し、
前記支持部材が前記回転部材によって前記固定部材に支持されている、
ことを特徴とする請求項１に記載の撮像装置。
【請求項３】
前記複数の付勢部材及び前記回転部材が、三角形の頂点を構成する位置に備えられている、
ことを特徴とする請求項１又は請求項２に記載の撮像装置。
【請求項４】
前記付勢部材及び前記回転部材が、前記光軸を中心とする同心円上に少なくとも３箇所以上備えられている、
ことを特徴とする請求項１乃至請求項３の何れか記載の撮像装置。
【請求項５】
前記複数の付勢部材及び前記回転部材が、夫々、等間隔で配置されている、
ことを特徴とする請求項１乃至請求項４の何れか記載の撮像装置。
【請求項６】
前記付勢部材が、前記回転部材の軸部の周囲に沿って巻き付けられた圧縮コイルばねであって、その一端が前記支持部材に当接すると共に他端が前記固定部材に当接するように構成されている、
ことを特徴とする請求項２乃至請求項５の何れか記載の撮像装置。
【発明の詳細な説明】
【技術分野】
【０００１】
本発明は、光学像を撮像素子に導く撮像レンズと、光学像を光電変換して画像信号を出力する撮像素子とを備えた撮像装置に関し、特には、光軸に対する撮像素子の傾きを調整するあおり調整機構に関する。
【背景技術】
【０００２】
従来、撮像レンズを介して撮像素子（例えば、ＣＣＤ：Ｃｈａｒｇｅ  Ｃｏｕｐｌｅｄ  Ｄｅｖｉｃｅｓ、ＣＭＯＳ：Ｃｏｍｐｌｅｍｅｎｔａｒｙ  Ｍｅｔａｌ  Ｏｘｉｄｅ  Ｓｅｍｉｃｏｎｄｕｃｔｏｒ等）に被写体像（所謂、光学像である）を結像して光電変換し、画像信号を生成する撮像装置（例えば、デジタルカメラである）が知られている。
【０００３】
また、撮像装置では、高解像度化のニーズに伴って、撮像素子の取り付けに高精度化が要求され、光学像を導く光軸に対する撮像素子の傾きを調整するあおり調整機構を備えたものがある。つまり、撮像装置では、撮像面中心の焦点が合っていても、その画面周縁近傍の焦点が撮像素子の傾きに依存してずれている虞があるので、このずれを修正するためにあおり調整を行う。
【０００４】
例えば、撮像素子を支持した支持板とレンズ鏡筒に固定された固定板とを光軸方向に対向して配置させ、撮像素子の対角線上に位置する一端側に固定板と支持板との支持部を構成し、この支持部から水平方向及び垂直方向に延びる直線上の夫々に、固定板と支持板との間隙を調整する調整ビスを備えたあおり調整機構が開示されている（例えば、特許文献１参照）。
【０００５】
また、他の例として、光軸方向に間隙を介して配置され、撮像素子を支持する第１の支持板と、撮像レンズを含む撮像光学部に固定された第３の支持板と、第１の支持板と第２の支持板との間に配置された第２の支持板とを備え、撮像面の２本の対角線の一方の対角線上の両端において第１の支持板と第２の支持板との第１の支点を構成すると共に、他方の対角線上の両端において第３の支持板第２の支持板との第２の支点を構成しているあおり調整機構が開示されている（例えば、特許文献２参照）。
【０００６】
そして、第１の支持板に係合して第２の支持板に螺合する調整ビスを用いて、第１の支点を基点として第１の支持板を傾動させ、第２の支持板に係合して第３の支持板に螺合する調整ビスを用いて、第２の支点を基点として第１の支持板を傾動させるように構成されている。
【０００７】
さらに、他の例として、光軸中心に配置された球体を介して、固定板と撮像素子を支持する支持板とを係合し、この球体を支点として、固定板に対して支持板を傾動させるように構成されたあおり調整機構が開示されている（例えば、特許文献３参照）。
【特許文献１】特開平８−２４８４６５号公報
【特許文献２】特開２００４−３２０２８２号公報
【特許文献３】特開２００７−０９６８３０号公報
【発明の開示】
【発明が解決しようとする課題】
【０００８】
しかしながら、特許文献１に記載されたあおり調整機構によれば、調整ビスによる調整位置が、撮像素子の対角線上に位置する一端側に配置された固定板と支持板との支持部から水平方向及び垂直方向に延びる直線上に配置されているので、その調整が対角線上の一端側を支持点とする撮像素子の傾きに制限されて、調整できる範囲が狭くなり調整精度を損なう虞がある。
【０００９】
また、特許文献２に記載されたあおり調整機構によれば、第１の支持板と第２の支持板との傾きを調整することで、一方向の傾きを調整し、第３の支持板と第２の支持板との傾きを調整することで、前記一方向に略直交する他方向の傾きを調整するように構成されているので、これらの３枚の支持板を構成するための構造が複雑となって、生産性を損なう虞がある。
【００１０】
また、特許文献３に記載されたあおり調整機構によれば、光軸中心に配置された球体を介して、固定板と撮像素子を支持する支持板とを係合し、この球体を支点として、固定部材に対して支持板を傾動させるように構成されているので、球体の支持及び回転に高精度が要求されて生産性を損なう虞があり、また、球体が光軸上に配置されているので、光軸方向に、撮像素子に重なる回路部品等の他の部品を配置する際に制約を受ける。
【００１１】
そこで、本発明は、光軸方向に対する撮像素子の傾きを簡素な構成で精度良く調整できると共に、光軸方向に沿って、撮像素子に重なるスペースに他の部品を配置する際に、その調整機構によって制約を低減でき、生産性の優れた撮像装置を提供することを目的とする。
【課題を解決するための手段】
【００１２】
かかる目的を達成するためになされた請求項１に記載の発明は、ケーシング内に収納され、光学像を撮像素子に導く撮像レンズと、前記光学像を光電変換して画像信号を出力する前記撮像素子と、を備えた撮像装置において、前記撮像レンズを介して入射する入射光の光軸に対して前記撮像素子の傾きを調整するあおり調整機構を備え、前記あおり調整機構が、前記撮像素子を支持する支持部材と、前記光軸の周囲に沿って離散的に配置されて、光軸方向に沿って前記支持部材に弾接する複数の付勢部材と、前記複数の付勢部材と一対に備えられ、軸部が前記支持部材及び前記付勢部材を貫通し、該軸部の一端が前記支持部材に係合すると共に、該軸部の他端が前記ケーシングに螺合し、螺合に伴って、光軸方向にスライドして前記支持部材を傾動させる回転部材と、によって構成されていることを特徴とする。
【００１３】
請求項１に記載の撮像装置によれば、あおり調整機構が、撮像素子を支持する支持部材と、光軸の周囲に沿って離散的に配置されて、光軸方向に沿って支持部材に弾接する複数の付勢部材と、複数の付勢部材と一対に備えられ、軸部が支持部材及び付勢部材を貫通し、軸部の一端が前記支持部材に係合すると共に、軸部の他端がケーシングに螺合し、螺合に伴って、光軸方向にスライドして支持部材を傾動させる回転部材と、によって構成されているので、光軸方向に対する撮像素子の傾きを簡素な構成で精度良く調整できると共に、光軸方向に撮像素子に重なるスペースに他の部品を配置する際に、その調整機構による制約を低減でき、生産性を良好に維持できる。
【００１４】
次に、請求項１に記載の撮像装置は、請求項２に記載の発明のように、前記支持部材に対向する向きに配設されて前記ケーシングに固定された固定部材を備え、光軸方向に沿って、前記支持部材が前記固定部材を介して前記撮像レンズの反対側に配置されると共に、前記付勢部材が前記固定部材と前記支持部材との間に配置され、前記固定部材には、前記回転部材の軸部が螺合する螺合孔が設けられ、前記回転部材が前記固定部材を介して前記ケーシングに螺合し、前記支持部材が前記回転部材によって前記固定部材に支持されていることが好ましい。
【００１５】
これにより、あおり調整機構が固定部材を介してケーシングに接続されるので、ケーシングの構造を簡素化できるとともに、ケーシングに対するあおり調整機構の着脱及び組み立てが容易になる。
【００１６】
次に、請求項１又は請求項２に記載の撮像装置は、請求項３に記載の発明のように、前記複数の付勢部材及び前記回転部材が、三角形の頂点を構成する位置に備えられていることが好ましい。
【００１７】
これにより、光軸を基点とする各方向の傾きに対してバランス良くあおり調整できる。また、あおり調整の後には、三角形の頂点をなす３つの付勢部材及び回転部材を介して支持部材が固定部材に係止されるので、これらの係止及び固定が安定したものになる。
【００１８】
次に、請求項１乃至請求項３の何れか記載の撮像装置は、請求項４に記載の発明のように、前記付勢部材及び前記回転部材が、光軸を中心とする同心円上に少なくとも３箇所以上備えられていることが好ましい。
【００１９】
これにより、光軸を基点とする各方向の傾きに対してバランス良く、あおり調整を行うことができる。
【００２０】
次に、請求項１乃至請求項４の何れか記載の撮像装置は、請求項５に記載の発明のように、前記複数の付勢部材及び前記回転部材が、夫々、等間隔で配置されていることが好ましい。
【００２１】
これにより、複数の付勢部材及び前記回転部材が不等間隔で配置されているよりも、容易に精度良くあおり調整を行うことができる。
【００２２】
次に、特徴とする請求項２乃至請求項５の何れか記載の撮像装置は、付勢部材が、前記回転部材の軸部の周囲に沿って巻き付けられた圧縮コイルばねであって、その一端が前記支持部材に当接すると共に他端が前記固定部材に当接するように構成されていることが好ましい。
【００２３】
、
これにより、支持部材が、固定部材に対して、回転部材を中心とする圧縮コイルばねによって付勢されるので、回転部材周りに付勢力が均一に発現し、緻密な調整を容易に行うことができる。
【発明の効果】
【００２４】
本発明の撮像装置は、あおり調整機構が、撮像素子を支持する支持部材と、光軸の周囲に沿って離散的に配置されて、光軸方向に沿って支持部材に弾接する複数の付勢部材と、複数の付勢部材と一対に備えられ、軸部が支持部材及び付勢部材を貫通し、軸部の一端が前記支持部材に係合すると共に、軸部の他端がケーシングに螺合し、螺合に伴って、光軸方向にスライドして支持部材を傾動させる回転部材と、によって構成されているので、光軸方向に対する撮像素子の傾きを簡素な構成で精度良く調整できると共に、光軸方向に撮像素子に重なるスペースに他の部品を配置する際に、その調整機構によって受ける制約を低減でき、生産性を良好に維持できる。
【００２５】
また、本発明の撮像装置は、あおり調整機構が固定部材を介してケーシングに接続されることにより、ケーシングの構造を簡素化できるとともに、ケーシングに対するあおり調整機構の着脱を容易にできる。
【００２６】
また、本発明の撮像装置は、複数の付勢部材及び前記回転部材を、三角形の頂点を構成する位置に備えたり、光軸を中心とする同心円上に少なくとも３箇所以上備えたり、これらを等間隔で備えたりすることにより、光軸を基点とする各方向の傾きに対してバランス良く容易にあおり調整を行うことができ、あおり調整の後には、固定部材に対して支持部材の固定が安定したものになる。
【００２７】
また、本発明の撮像装置は、支持部材が、固定部材に対して、回転部材を中心とする圧縮コイルばねによって付勢されることにより、回転部材周りに付勢力が均一に発現し、緻密なあおり調整を容易に行うことができる。
【発明を実施するための最良の形態】
【００２８】
次に、本発明の撮像装置の一実施例を図面にもとづいて説明する。
【００２９】
図１が撮像装置の構成を表す構成図であって、（ａ）が撮像装置を光軸方向に直交する向きから表した断面図、（ｂ）が撮像装置を光軸方向の撮像素子側から表した外観図である。また、図２は、図１におけるあおり調整機構の詳細図である。
【００３０】
図１に表したように、撮像装置１００には、合成樹脂材で形成されて図示されないネジ部材によって一体に接合されたケーシング１ａ、１ｂ、１ｃの内側に、前部レンズ２、撮影の際のズーム倍率に応じて光軸方向（図中のＸ−Ｘ方向である）にスライドするズームレンズ３、ケーシング１ｂに固定されて撮像素子８へ向かう入射光の光量を調節する光量調節ユニット４、光学像における不要な高周波成分を除去する光学ローパスフィルタ６、撮像素子８に結像する光学像の焦点合わせのために光軸方向にスライドするフォーカスレンズ５、光学像を光電変換してアナログ画像信号を出力する撮像素子８等が備えられている。
【００３１】
また、撮像装置１００には、ケーシング１ａ、１ｂ、１ｃの外側に、撮像素子８と一体に接続された第一のセンサボード９、ケーシング１ｃの光軸方向端面に固定され、撮像素子８及びセンサボード９が挿通する挿通孔が形成された固定部材１２、撮像素子８から出力される画像信号を回路基板１４に中継する第二のセンサボード１１、当該撮像装置１００の動作を制御する回路が搭載された回路基板１４、回路基板１４を載置してケーシング１ａ、１ｃに固定された基板支持部材５ａ及び５ｂ等が備えられている。
【００３２】
ズームレンズ３は、ズームレンズ支持部材３ａを介して、光軸方向（図中のＸ−Ｘ方向である）に沿ってケーシング１ａにスライド自在に支持され、図示しない駆動源（例えば、モータである）の駆動力によってスライドするように構成されている。
【００３３】
光量調節ユニット４は、撮像素子８に結像する光量を調節するための絞りやＮＤフィルタ（Ｎｅｕｔｒａｌ  Ｄｅｎｓｉｔｙ  Ｆｉｌｔｅｒ）、シャッタ等によって構成され、ケーシング１ｂに固定されて図示しない駆動源（例えば、モータやアクチュエータである）の駆動力によって動作するように構成されている。
【００３４】
フォーカスレンズ５は、フォーカスレンズ支持部材５ａを介して、光軸方向（図中のＸ−Ｘ方向である）に沿ってケーシング１ｃにスライド自在に支持され、図示しない駆動源（例えば、モータである）の駆動力によってスライドするように構成されている。
【００３５】
光学ローパスフィルタ６は、縁端部がケーシング１ｃと弾性体から成るフィルタスペーサ７とによって挟着され、ケーシング１ｃに支持されている。フィルタスペーサ７は、光学ローパスフィルタ６と撮像素子８の縁端部に弾接して光学ローパスフィルタをケーシング１ｃに保持するとともに、入射光の漏洩を防止するように構成されている。
【００３６】
撮像素子３は、マトリクス状に複数の光電変換素子が配置された、例えばＣＣＤ（Ｃｈａｒｇｅ  Ｃｏｕｐｌｅｄ  Ｄｅｖｉｃｅｓ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）で構成され、第一のセンサボード９に固定されている。
【００３７】
また、図２に表したように、撮像素子８から出力される画像信号は、第一のセンサボード９に装着されたコネクタ１６ａと第二のセンサボード１１接続されたコネクタ１６ｂとの接続によって、第二のセンサボード１１に導かれている。
【００３８】
回路基板１４は、基板支持部材５ａ及び５ｂに載置され、基板支持部材５ａ及び５ｂを介してケーシング１ａ、１ｃに固定されている。また、第二のセンサボード１１の一端が回路基板１４に接続されて、撮像素子８から出力された画像信号が回路基板１４上の回路に接続されている。また、回路基板１４には、撮像素子８から出力される画像信号の処理や、ズームレンズ３、光量調整ユニット４、フォーカスレンズ５等の動作制御を行うための回路が構成されている。
【００３９】
次に、撮像装置１００には、図２に表したように、レンズ群（所謂、本発明における撮像レンズである）２、３、５を介して入射する入射光の光軸に対して撮像素子８の傾きを調整するあおり調整機構が備えられている。
【００４０】
、
あおり調整機構は、第一のセンサボード９を介して撮像素子８を支持する支持部材１０と、光軸の周囲に沿って離散的に配置されて、光軸方向に沿って支持部材１０に弾接する３つの付勢部材２０ａ、２０ｂ、２０ｃと、付勢部材２０ａ、２０ｂ、２０ｃと一対に備えられた回転部材１３ａ、１３ｂ、１３ｃと、によって構成されている。
【００４１】
回転部材１３ａ、１３ｂ、１３ｃは、軸部が支持部材１０及び付勢部材２０ａ、２０ｂ、２０ｃを貫通し、軸部の一端が支持部材１０に係合すると共に、軸部の他端がケーシング１ｃに螺合し、螺合に伴って、光軸方向にスライドして支持部材１０を傾動させるように構成されている。
【００４２】
詳しくは、支持部材１０に対向する向きに配設されてケーシング１ｃに固定された板状の固定部材１２を備え、光軸方向に沿って、支持部材１０が固定部材１２を介してレンズ群２、３、５の反対側に配置されると共に、付勢部材２０ａ、２０ｂ、２０ｃが固定部材１２と支持部材１０との間に配置されている。
【００４３】
また、固定部材１２には、回転部材１３ａ、１３ｂ、１３ｃの軸部が螺合するねじ部が形成された螺合孔が設けられ、回転部材１３ａ、１３ｂ、１３ｃが固定部材１２を介してケーシング１ｃに螺合し、支持部材１０が回転部材１３ａ、１３ｂ、１３ｃによって固定部材１２に支持されている。また、固定部材１２及び支持部材１０は、耐久性の優れた鋼材（例えば、ステンレスなど）を用いて形成されている。
【００４４】
詳しくは、付勢部材２０ａ、２０ｂ、２０ｃは、回転部材１３ａ、１３ｂ、１３ｃの軸部の周囲に沿って巻き付けられた圧縮コイルばねであって、その一端が支持部材１０に当接すると共に他端が固定部材１２に当接するように構成されている。また、回転部材１３ａ、１３ｂ、１３ｃは、軸部より大きい径を有する頂部と、頂部から延出して螺旋状のネジ部が形成された軸部とからなる小ネジであって、軸部が固定部材１２に突き出して形成された座部１２ａに螺合している。
【００４５】
また、支持部材１０には、座部１２ａに対向し、固定部材１２の反対側に凹となる凹部１０ａが形成され、この凹部１０ａ内に付勢部材２０ａ、２０ｂ、２０ｃ及び回転部材１３ａ、１３ｂ、１３ｃが装着されている。
【００４６】
また、図１（ｂ）に表したように、複数の付勢部材２０ａ、２０ｂ、２０ｃ及び回転部材１３ａ、１３ｂ、１３ｃが、三角形の頂点を構成する位置に備えられ、夫々、等間隔で配置されている。つまり、付勢部材２０ａ及び回転部材１３ａと付勢部材１３ｂ及び回転部材２０ｂの距離Ｌ１、付勢部材２０ｂ及び回転部材１３ｂと付勢部材２０ｃ及び回転部材１３ｃの距離Ｌ２、付勢部材２０ａ及び回転部材１３ａと付勢部材２０ｃ及び回転部材１３ｃの距離Ｌ３が等しくなるように配置されている。また、この際、回転部材１３ａ、１３ｂ、１３ｃ及び付勢部材２０ａ、２０ｂ、２０ｃが、光軸を中心（図中のＣ）とする同心円上に配置されていることが好ましい。
【００４７】
また、図１（ｂ）に表したように、ケーシング１ｃの端面から、光軸方向に２本の位置決めピン１８ａ、１８ｂが突出し、固定部材１２、支持部材１０等には、この位置決めピン１８ａ、１８ｂに緩やかに嵌合する貫通孔が形成されている。そして、位置決めピン１８ａ、１８ｂを介して、固定部材１２、支持部材１０が位置決めされている。
【００４８】
そして、本実施例のあおり調整機構は、回転部材１３ａを時計周りに回転すると、回転部材１３ｂ、１３ｃを支点に、支持部材１０が付勢部材２０ａの付勢力に抗して固定部材１２に近づくように傾動し、一方、回転部材１３ａを反時計周りに回転すると、回転部材１３ｂ、１３ｃを支点に、支持部材１０が固定部材１２から離間するように傾動する。
【００４９】
また、回転部材１３ｂを時計周りに回転すると、回転部材１３ａ、１３ｃを支点に、支持部材１０が付勢部材２０ｂの付勢力に抗して固定部材１２に近づくように傾動し、一方、回転部材１３ｂを反時計周りに回転すると、回転部材１３ａ、１３ｃを支点に、支持部材１０が固定部材１２から離間するように傾動する。
【００５０】
また、回転部材１３ｃを時計周りに回転すると、回転部材１３ａ、１３ｂを支点に、支持部材１０が付勢部材２０ｃの付勢力に抗して固定部材１２に近づくように傾動し、一方、回転部材１３ｃを反時計周りに回転すると、回転部材１３ａ、１３ｂを支点に、支持部材１０が固定部材１２から離間するように傾動する。
【００５１】
そして、あおり調整の後には、回転部材１３ａ、１３ｂ、１３ｃが緩まないように、例えば接着剤を用いて、回転部材１３ａ、１３ｂ、１３ｃを支持部材１０に接着する。
【００５２】
また、あおり調整を行う際には、焦点合せ用のチャートを用い、このチャートを撮像装置１００で撮像して出力画面の合焦度を検出し、この合焦度が所定の範囲になるように、回転部材１３ａ、１３ｂ、１３ｃを回転させて調整すればよい。
【００５３】
また、チャートには、画面中心と複数の回転部材１３ａ、１３ｂ、１３ｃの夫々とに対応付する位置に焦点合わせのための撮像模様を形成しておき、まず、フォーカスレンズ５を光軸方向にスライドさせて画面中心の撮像模様が合焦する位置にフォーカスレンズ５を設置し、その後、回転部材１３ａ、１３ｂ、１３ｃに対応付けられた各撮像模様が合焦するように、順次、回転部材１３ａ、１３ｂ、１３ｃを回転させて調整するとよい。また、合焦度を調整する際には、撮像された光学像のＭＴＦ（Ｍｏｄｕｌａｔｉｏｎ  Ｔｒａｎｓｆｅｒ  Ｆｎｎｃｔｉｏｎ）を計測するとよい。この際、回転部材１３ａ、１３ｂ、１３ｃの回転に伴うＭＴＦの変化を計測し、所定の空間周波数が最大となるように、撮像素子の傾きを設定する。
【００５４】
以上のように、本実施例に記載の撮像装置は、あおり調整機構が、撮像素子８を支持する支持部材１０と、光軸の周囲に沿って離散的に配置されて、光軸方向に沿って支持部材１０に弾接する複数の付勢部材２０ａ、２０ｂ、２０ｃと、複数の付勢部材２０ａ、２０ｂ、２０ｃと一対に備えられ、軸部が支持部材及び付勢部材２０ａ、２０ｂ、２０ｃを貫通し、軸部の一端が支持板１０に係合すると共に、軸部の他端が固定板１２を介してケーシング１ｃに螺合し、螺合に伴って、光軸方向にスライドして支持部材１０を傾動させる回転部材１３ａ、１３ｂ、１３ｃと、によって構成されているので、光軸方向に対する撮像素子８の傾きを簡素な構成で精度良く調整できると共に、光軸方向に撮像素子８に重なるスペースに他の部品を配置する際に、その調整機構によって制約を低減でき、生産性を良好に維持できる。
【００５５】
また、本実施例に記載の撮像装置は、あおり調整機構が固定部材１２を介してケーシング１ｃに接続されるので、ケーシング１ｃの構造を簡素化できるとともに、ケーシング１ｃに対するあおり調整機構の着脱及び組み立てが容易になる。
【００５６】
また、本実施例に記載の撮像装置におけるあおり調整機構は、複数の付勢部材２０ａ、２０ｂ、２０ｃ及び回転部材１３ａ、１３ｂ、１３ｃが、三角形の頂点を構成する位置に等間隔で備えられているので、光軸を基点とする各方向の傾きに対してバランス良くあおり調整できるとともに、あおり調整後の固定を安定したものにできる。
【００５７】
また、本実施例に記載の撮像装置におけるあおり調整機構は、付勢部材２０ａ、２０ｂ、２０ｃが、回転部材１３ａ、１３ｂ、１３ｃの軸部の周囲に沿って巻き付けられた圧縮コイルばねであって、その一端が支持部材１０に当接すると共に他端が固定部材１２に当接するように構成されているので、支持部材１０が、固定部材１２に対して、回転部材１３ａ、１３ｂ、１３ｃを中心とする圧縮コイルばねによって付勢されて、回転部材１３ａ、１３ｂ、１３ｃ周りの付勢力が均一になり、緻密なあおり調整を容易に行うことができる。
【００５８】
以上、本発明の一実施例について説明したが、本発明は、前記実施例に限定されるものでなく、種各の態様を取ることができる。
【００５９】
例えば、本実施例の撮像装置において、付勢部材２０ａ、２０ｂ、２０ｃ及び回転部材１３ａ、１３ｂ、１３ｃを三角形の頂点を構成する位置に配置したが、例えば五角形など、少なくとも頂点が３つ以上の多角形を構成する位置に配置してもよい。
【００６０】
また、本実施例では、固定部材１２に回転部材１３ａ、１３ｂ、１３ｃが螺合するねじ部を形成したが、固定部材１２を省いて、金属製のナットや、バネ性を有するネジ部材である金属性のヘリサート（株式会社  三友精機の商標である）などを、ケーシング１ｃに埋設してもよい。
【図面の簡単な説明】
【００６１】
【図１】本発明の一実施例の、撮像装置の構成を表す構成図であって、（ａ）が撮像装置を光軸方向に直交する向きから表した断面図、（ｂ）が撮像装置を光軸方向の撮像素子側から表した外観図である。
【図２】図１におけるあおり調整機構の詳細図である。
【符号の説明】
【００６２】
１ａ，１ｂ，１ｃ…ケーシング、２…前部レンズ、３…ズームレンズ、３ａ…ズームレンズ支持部材、４…光量調節ユニット、５…フォーカスレンズ、５ａ…フォーカスレンズ支持部材、６…光学ローパスフィルタ、７…フィルタスペーサ、８…撮像素子、９…第一のセンサボード、１０…支持部材、１１…第二のセンサボード、１２…固定部材、１３ａ，１３ｂ，１３ｃ…回転部材（小ねじ）、１４…回路基板、１５ａ，１５ｂ…基板支持部材、１６ａ，１６ｂ…コネクタ、１７ａ，１７ｂ……撮像素子固定ネジ、１８ａ，１８ｂ…位置決めピン、２０ａ，２０ｂ，２０ｃ…付勢部材（圧縮コイルばね）、１００…撮像装置。
【図１】
2009180942.tif 000003
【図２】
2009180942.tif 000004